(57)【特許請求の範囲】
【請求項１】
プラスチックにより形成されるフィルムであり、外部スロットが形成されている表面部材と、
一方の面が前記表面部材に覆われ、前記外部スロットに対応する位置に第一方向に形成されている第１スロットおよび第２スロット、前記第２スロットの前記第一方向と直交する方向である第二方向の両側に位置する第１インピーダンス整合部、ならびに、前記第１スロットの前記第二方向の両側に位置する第２インピーダンス整合部を有し、前記第１スロットが側縁の内側に位置し、前記第２スロットが前記第１スロットの前記第２スロット側の端部と前記側縁とを連通し、前記第２スロットの前記第二方向の長さが前記第１スロットの前記第二方向の長さより短く形成され、前記第１スロットおよび前記第２スロットによりスロットアンテナが形成される金属層と、
プラスチックにより形成されるフィルムであり、前記金属層の他方の面を覆い、前記スロットアンテナに対応する位置に内部スロットが形成されている基材と、
前記第１スロットに対応する位置に設けられている接着部材、当該接着部材に配置されている導電回路、および当該導電回路に設けられている通信チップを有し、前記接着部材の面積が前記導電回路の面積より大きい通信本体と、を備え、
前記導電回路は、互いに所定間隔である第１間隔離れている２つの第１接続部、当該第１接続部の前記第１間隔とは反対側の端部に接続されている２つの第１導通部、当該第１導通部の前記第１接続部とは反対側の端部に接続されている２つの第２導通部、および、２つの当該第２導通部の前記第１導通部とは反対側の端部を接続する第２接続部を有し、
前記通信本体は、前記第１導通部と前記第１インピーダンス整合部とが対応し、前記第２導通部と前記第２インピーダンス整合部とが対応し、前記第１導通部と前記第１インピーダンスとが離間し、前記第２導通部と前記第２インピーダンス整合部とが重なるよう前記第１スロットに対応する位置に設けられ、無線ＩＣタグを形成することを特徴とする包装袋。
【請求項２】
前記第１スロットの前記第２スロットとは反対側の端部は、前記第２スロットと所定間隔離れて位置し、
前記金属層は、前記第１スロットの前記第２スロットとは反対側に第３インピーダンス整合部が形成され、
前記通信本体は、前記第３インピーダンス整合部と前記第２接続部とが重なるよう、前記第１スロットに対応する位置に設けられることを特徴とする請求項１記載の包装袋。
【請求項３】
前記第１接続部は、前記第１導通部と前記第２接続部との間に位置し、前記第１スロットの前記第２スロット側の端部と第２間隔を有することを特徴とする請求項２記載の包装袋。
【請求項４】
前記第１スロットは、矩形に形成され、一方の辺の長さは８ミリメートルを超え１２ミリメートル未満であり、他方の辺の長さは６．４ミリメートルを超え９．６ミリメートル未満であることを特徴とする請求項３記載の包装袋。
【請求項５】
前記第２スロットは矩形に形成され、一方の辺の長さは１．６ミリメートルを超え２．４ミリメートル未満であり、他方の辺の長さは２．４ミリメートルを超え３．６ミリメートル未満であることを特徴とする請求項４記載の包装袋。
【請求項６】
前記通信チップは前記第１スロットの中心軸線に位置することを特徴とする請求項５記載の包装袋。
【請求項７】
前記第１スロットの一方の辺の長さは１０ミリメートルであり、他方の辺の長さは８ミリメートルであり、
前記第２スロットの一方の辺の長さは２ミリメートルであり、他方の辺の長さは３ミリメートルであることを特徴とする請求項６記載の包装袋。
【請求項８】
前記第１導通部と前記第１スロットの前記第２スロット側の側縁との間の間隔は１ミリメートル以下であり、
前記第２導通部と前記第２導通部に対応している前記第１スロットの側縁との間の間隔は０．６ミリメートル以下であることを特徴とする請求項７記載の包装袋。
【発明の詳細な説明】
【技術分野】
【０００１】
本発明は、包装袋に関し、詳しくは外部貼り付け式通信本体を備える包装袋に関する。
【背景技術】
【０００２】
電波による個体識別（Ｒａｄｉｏ  Ｆｒｅｑｕｅｎｃｙ  Ｉｄｅｎｔｉｆｉｃａｔｉｏｎ、略称ＲＦＩＤ）は、電磁波信号を利用して、特定の目標を認識し、当該特定目標に関連のデータを読み取り可能または書き込み可能な技術である。ＲＦＩＤ技術に基づいて、業者は無線ＩＣタグを物品の包装袋に取り付けることで、リーダを利用して一定の範囲内で、無線ＩＣタグに格納されたデータ（例えば、出荷期日、保存期限など）を読み取ることができる。バーコード（Ｂａｒｃｏｄｅ）技術に比べて、ＲＦＩＤ技術は、格納容量が大きく、リーダと無線ＩＣタグとの間に機械的または光学的な接触が不要であるため、偽札防止対策、身分証明証の照合機能、電子会計システム、及び、電子カルテなどの様々な分野で大量に応用されており、我々の日常生活中で見かけることのできる重要技術であると言える。
【０００３】
前述した無線ＩＣタグは、能動タグ、受動タグ、および起動型能動タグ（半能動式とも言う）の３つに分類される。現在、もっとも使われているのは受動タグであり、図１に示すとおりである。無線ＩＣタグ１は、基材１１、受発信アンテナ１２、およびチップ１３より構成される。基材１１はポリイミド（Ｐｏｌｙｉｍｉｄｅ）部材からなり、受発信アンテナ１２はエッチングにより基材１１に形成（一般のやり方は、まず基材１１の上方に銅箔を貼り付けてから、あらかじめに設計していたアンテナの構造に従い、銅箔を蝕刻した後、受発信アンテナ１２）され、チップ１３の両端部はそれぞれ受発信アンテナ１２の入力端に接続される。これにより、リーダが一定の範囲内で無線信号を発信すれば、受発信アンテナ１２は、そのエネルギーの電磁誘導によって、チップ１３に記憶されたデータをリーダに伝送することができる。
【０００４】
引き続き、図１を参照する。無線ＩＣタグ１は、主に受発信アンテナ１２を介して無線信号の受発信することにより、内蔵されているチップ１３のプロセスが実行される。よって、無線ＩＣタグ１を非導電性物体（例えば、プラスチック、紙、木材など）に貼り付けると、正常な信号伝送機能を発揮し、あらかじめに設計された範囲内で、リーダと情報交換を行う。しかし、無線ＩＣタグ１を金属物体の表面に貼り付けると、金属物体がイメージ理論（Ｉｍａｇｅ  Ｔｈｅｏｒｙ）によりイメージパルス波（ｉｍａｇｅ  ｐｕｌｓｅ  ｗａｖｅ）が発生し、かつイメージパルス波の位相と受発信アンテナ１２から発信する電磁波信号の位相が相反するため、イメージパルス波は電磁波信号に対して相殺的干渉を引き起こし、電磁波信号が破壊されリーダに伝送することができなくなる。よって、リーダが無線ＩＣタグ１内部の情報を正常に読み取ることができなくなる。相殺的干渉とは、２つの波が重なるときに、一方の波の峰と他方の波の谷とが重なり、合成波の振幅が成分波の振幅より小さくなることを言う。２つの波の位相が真逆である場合、干渉により最小の振幅が発生し、この現象を完全な相殺的干渉という。
【先行技術文献】
【特許文献】
【０００５】
【特許文献１】特開２００８−１０７９４７号公報
【発明の概要】
【発明が解決しようとする課題】
【０００６】
現在の物流配送システムにおいて、配送物の乾燥を維持し、光照射を避けるため、金属に被覆された包装袋が使用されている。そのうち、内部にアルミホイルを有する電気メッキアルミホイル包装袋がもっとも普及されている。ここで、無線ＩＣタグ１が金属に被覆された包装材に取り付けられると、イメージパルス波が発生する。よって、無線ＩＣタグ１を電気メッキアルミホイル包装袋に貼り付けた場合、無線ＩＣタグ１の受発信機能がアルミホイルの影響を受け、無線ＩＣタグ１の受発信距離が０メートルになり、リーダは無線ＩＣタグ１からの情報を読み取ることができなくなる。また、電気メッキアルミホイル包装袋の多くは、包装が小さく、使用期間が短い物品に使用されている。よって、電気メッキアルミホイル包装袋は、体積が小さい物を主な対象としている。このため、電気メッキアルミホイル包装袋に、低コスト、かつコンパクトな無線ＩＣタグを設けることが困難となる。
【０００７】
本発明は、上述の問題に鑑みてなされたものであり、その目的は、個体識別機能を有するコンパクトな包装袋を提供することにある。
【課題を解決するための手段】
【０００８】
本発明による包装袋は、表面部材、金属層、基材、および、通信本体を備える。表面部材は、プラスチックにより形成されるフィルムであり、外部スロットが形成されている。金属層は、一方の面が前記表面部材に覆われ、外部スロットに対応する位置に第一方向に形成されている第１スロットおよび第２スロット、第２スロットの第一方向と直交する方向である第二方向の両側に位置する第１インピーダンス整合部、ならびに、第１スロットの第二方向の両側に位置する第２インピーダンス整合部を有する。第１スロットは側縁の内側に位置し、第２スロットは第１スロットの第２スロット側の端部と側縁とを連通する。第２スロットの第二方向の長さは第１スロットの第二方向の長さより短く形成される。第１スロットおよび第２スロットによりスロットアンテナが形成される。基材は、プラスチックにより形成されるフィルムであり、金属層の他方の面を覆い、スロットアンテナに対応する位置に内部スロットが形成されている。通信本体は、第１スロットに対応する位置に設けられている接着部材、当該接着部材に配置されている導電回路、および当該導電回路に設けられている通信チップを有し、接着部材の面積が導電回路の面積より大きい。
通信本体がスロットアンテナに対応する位置に貼り付けられているため、スロットアンテナと互いに結合して、無線ＩＣタグを形成することができる。これにより、金属層のスロットがスロットアンテナを形成するため、無線ＩＣタグが、金属物体により発生するイメージパルス波の干渉を受け、リーダとの間の受発信を行うことができないことを抑制することができる。
【０００９】
また、本発明は、導電回路は、互いに所定間隔である第１間隔離れている２つの第１接続部、第１接続部の第１間隔とは反対側の端部に接続されている２つの第１導通部、第１導通部の第１接続部とは反対側の端部に接続されている２つの第２導通部、および、２つの第２導通部の第１導通部とは反対側の端部を接続する第２接続部を有する。通信本体は、第１導通部と第１インピーダンス整合部とが対応し、第２導通部と第２インピーダンス整合部とが対応し、第１導通部と第１インピーダンスとが離間し、第２導通部と第２インピーダンス整合部とが重なるよう第１スロットに対応する位置に設けられ、無線ＩＣタグを形成する。これにより、無線ＩＣタグがリーダからの無線信号を受信すると、第２導通部と第２インピーダンス整合部とが電磁結合を形成し、誘導性インピーダンスを形成し、スロットアンテナが電磁誘導によって発生するエネルギーを伝送し、通信チップのデータをリーダに伝送する。無線ＩＣタグは、最適化の結合によりインピーダンス整合が行われるため、スロットアンテナのサイズを有効に縮小し、受発信範囲を増大することができる。
【００１０】
本発明は、包装材の内部にスロットアンテナを形成し、外部に通信本体を貼り付け、通信本体とスロットアンテナとが結合して誘導性インピーダンスを形成させ、スロットアンテナのサイズを縮小し、受発信範囲を増大することができる。
【００１１】
本発明は相殺的干渉の問題を解決することができる。包装材内部の金属層にスロットアンテナが形成されているため、無線ＩＣタグが受発信するとき、包装袋内部の金属部材との相殺的干渉の発生が抑制される。
【００１２】
本発明はスロットアンテナのサイズを小型化することができる。通信本体は、最適化のインピーダンス整合による結合及びスロットアンテナの電磁誘導により発生するエネルギーを利用し、受発信するため、スロットアンテナのサイズを小型化することができ、スロットアンテナのサイズを低減し、受発信範囲を増大することができる。
【図面の簡単な説明】
【００１３】
【図１】従来の無線ＩＣタグを示す斜視図である。
【図２】本発明の一実施形態による包装袋を示す分解斜視図である。
【図３】本発明の一実施形態による包装袋を示す分解斜視図である。
【図４】本発明の一実施形態による包装袋を示す模式図である。
【図５Ａ】本発明の一実施形態による包装袋の組立誤差を示す模式図である。
【図５Ｂ】本発明の一実施形態による包装袋の組立誤差を示す模式図である。
【図６Ａ】本発明の一実施形態による包装袋の特性図である。
【図６Ｂ】本発明の一実施形態による包装袋の特性図である。
【図６Ｃ】本発明の一実施形態による包装袋の特性図である。
【発明を実施するための形態】
【００１４】
本発明の一実施形態による包装材を図面に基づいて説明する。
（一実施形態）
本発明の一実施形態による包装袋は外部貼り付け式通信本体を備える。本実施形態による包装袋を図２に示す。図２に示すように、包装袋２は、表面部材２１、金属層２２、基材２３、および通信本体２４を備える。表面部材２１は、プラスチック部材からなるフィルムであり、金属層２２の一方の面を覆う。基材２３も同じくプラスチック部材（例えば、直鎖低密度ポリエチレン）からなるフィルムであり、金属層２２他方の面を覆う。表面部材２１と金属層２２と基材２３とは包装材２０を構成して、包装袋２の製造に用いることができる。図２に示すように、包装袋２の構成部分のみが示されている。
【００１５】
また、金属層２２は、フィルム状に描かれているが、蒸着、スパッターリング、またはその他の方式により、表面部材２１に付着させることができる。また、本発明の他の実施形態において、表面部材２１と金属層２２は多層状の複合部材（例えば、ポリエチレン、電気メッキアルミ箔などの部材）により構成されても良い。
【００１６】
引き続き、図２と３に示すように、表面部材２１と金属層２２と基材２３とは包装材２０を構成した後、２層の包装材２０の縁部が一体に閉じられ、包装袋２に形成される。また、一層の包装材２０により包裝袋２を形成しても良い。包裝材２０の側縁の近傍の位置には同じ形状のスロットがプレス加工により形成される。図に示すように、表面部材２１および基材２３の所定部位には、プレス加工により、外部スロット２１０および内部スロット２３０が形成される。
【００１７】
金属層２２は、外部スロット２１０および内部スロット２３０に対応する位置に、第１スロット２２１および第２スロット２２２が第一方向に形成されている。第１スロット２２１および第２スロット２２２より形成されるスロットの形状は、外部スロット２１０および内部スロット２３０の形状と対応している。第１スロット２２１は、矩形に形成され、金属層２２の側縁の内側に位置する。
【００１８】
第２スロット２２２は、矩形に形成され、金属層２２の側縁と第１スロット２２１の第２スロット２２２側の端部とを連通する。第１スロット２２１および第２スロット２２２は、第２スロット２２２の第一方向と直交する第二方向の長さが、第１スロット２２１第二方向の長さより短くなるよう形成される。金属層２２は、第１スロット２２１の第二方向の両側に２つの第２インピーダンス整合部Ｒ２が形成され、第２スロット２２２の第二方向の両側に２つの第１インピーダンス整合部Ｒ１が形成され、第１スロット２２１の第２スロット２２２とは反対側に第３インピーダンス整合部Ｒ３が形成される。金属層２２は、第１スロット２２１および第２スロット２２２が形成されることによりスロットアンテナ２２０を形成する。
【００１９】
図２〜４に示すように、通信本体２４は接着部材３０と導電回路３１と通信チップ３２とを有する。接着部材３０の面積は導電回路３１の面積より大きい。導電回路３１は、接着部材３０に配置され、接着部材３０が表面部材２１に張り付けられることにより、第１スロット２２１に対応する位置に位置する。導電回路３１は略Ｃ字状に形成される。導電回路３１は、２つの第１導通部３１１、２つの第２導通部３１２、２つの第１接続部３１３、および１つの第２接続部３１４を有する。２つの第１接続部３１３は、互いに所定間隔である第１間隔Ｄ１離れている。
【００２０】
第１導通部３１１は、第１接続部３１３の第１間隔Ｄ１とは反対側の端部に接続されている。第２導通部３１２は、第１導通部３１１の第１接続部３１３とは反対側の端部に接続されている。第２接続部３１４は、２つの第２導通部３１２の第１導通部３１１とは反対側の端部を接続する。通信チップ３２は、２つの第１接続部３１３間に設けられている。通信本体２４は、各第１導通部３１１と各第１インピーダンス整合部Ｒ１とが対応し、各第２導通部３１２と各第２インピーダンス整合部Ｒ２とが対応し、第２接続部３１４と各第３インピーダンス整合部Ｒ３とが対応するよう、第１スロット２２１に対応する位置に設けられている。
【００２１】
図３と４に示すように、通信本体２４が包装材２０に貼り付けられたとき、第１導通部３１１と第１インピーダンス整合部Ｒ１とは重ならず離間し、第２導通部３１２と第２インピーダンス整合部Ｒ２とが重なる。通信本体２４は包装袋２に貼り付けられることにより無線ＩＣタグ４を形成する。このとき、第２スロット２２２の導電回路３１に対応する区域は、ループアンテナ（ｌｏｏｐ  ａｎｔｅｎｎａ）の機能を有し、短距離の受発信機能を有する。また、第１スロット２２１はダイポールアンテナ（Ｄｉｐｏｌｅ  ａｎｔｅｎｎａ）の機能を有し、長距離の受発信機能を有する。
【００２２】
これにより、図２〜４に示すように、スロットアンテナ２２０がリーダからの無線信号を受信したとき、第２導通部３１２と第２インピーダンス整合部Ｒ２とが電磁結合を形成し、その間にそれぞれ誘導性インピーダンスが形成される。よって、無線ＩＣタグ４は、この誘導性インピーダンスを介して、スロットアンテナ２２０の電磁誘導により発生するエネルギーを伝達し、通信チップ３２内部に記憶されたデータはスロットアンテナ２２０経由し、リーダに伝送される。よって、業者は包装袋２に記憶された物品の情報を把握することができる。
【００２３】
図２に示すように、本実施形態の包装袋２は、電気メッキアルミ箔の包装袋（すなわち、金属層２２は電気メッキ加工により形成され、表面部材２１に覆われる。）に応用される。無線ＩＣタグ４をアルミ箔包装袋に適用することによって、より良い受発信距離を確保し、さらに、電気メッキアルミ箔の包装袋は、低コスト、薄く形成され、生産しやすい長所を有する。特に保存期間の短い製品包装（例えば、防湿機能の食品包装袋）に適している。よって、市販の金属サンドイッチ層のほとんどは電気メッキアルミ箔が主流である。よって、無線ＩＣタグ４を電気メッキアルミ箔の包装袋に適用することは、市場のニーズにあっている。
【００２４】
本実施形態の無線ＩＣタグ４は電気メッキ包装袋から２メートル以内の範囲で受発信可能である。この範囲は、コンビニ、スーパー売り場などの販売チャンネルに適しており、店員がリーダにより無線ＩＣタグ４をなぞるだけで、中短距離の範囲内の包装袋内部の物品情報を検知することができる。また、無線ＩＣタグ４の受発信距離は６、７メートルまで届かないので、充分なプライバシーを維持することができ、不審者がリーダを利用し、第三者の物品情報を得ることを抑制することができる。
【００２５】
また、無線ＩＣタグ４をアルミ箔の包装袋に取り付けることができる。電気メッキアルミ箔包装袋（電気メッキアルミ箔の厚さ約０．１ナノメートル）に対して、アルミ箔包装袋のアルミ箔の厚さが厚く（約６〜１２マイクロメートル）、マイクロ波信号の伝送により適しているため、無線ＩＣタグ４の受発信距離が４〜５メートルまで達することができる。すなわち、業者は販売の都合または市場ニーズに従い、電気メッキアルミ箔または一般のアルミ箔部材を本発明の包装袋とし、無線ＩＣタグ４を貼り付けることができる。よって、中短距離の受発信機能および機密性を同時に確保することができる、または、無線ＩＣタグ４の長距離の受発信機能により、大量、大容積の商品管理に適用することができる。
【００２６】
図３と４に示すように、本実施形態において、第１スロット２２１一方の辺の長さを１０ミリメートルにし、他方の辺の長さを８ミリメートルにする。また、第２スロット２２２一方の辺の長さを２ミリメートルにし、他方の辺の長さを３ミリメートルにするテストを行った。ダイポールアンテナの長さは波長の半分（１／２λ）に相当し、周波数９１５ＭＨｚのとき、ダイポールアンテナの長さは約１６．４センチメートルとなる。これに対して、本実施形態では、アンテナの長さ（すなわち、第１スロット２２１の水平長さ）を１センチメートルにすることで同じ効果が得られる。また、無線ＩＣタグ４が５メートルの受発信範囲を有するため、包装材２０にてスロットアンテナ２２０のためにスペースを大きくする必要なく、生産の利便性を大幅に向上することができる。
【００２７】
本実施形態では、テストを繰り返した結果、スロットアンテナ２２０の仕様を前述仕様の２０％の範囲内に納めることができれば、所定の範囲内で無線ＩＣタグ４の遠距離受発信機能を維持することができる。すなわち、第１スロット２２１の一方の辺の長さが８ミリメートルを超え１２ミリメートル未満であり他方の辺の長さが６．４ミリメートルを超え９．６ミリメートル未満であり、第２スロット２２２の一方の辺の長さが１．６ミリメートルを超え２．４ミリメートル未満であり他方の辺の長さが２．４ミリメートルを超え３．ミリメートル未満となるよう、第１スロット２２１および第２スロット２２２を形成すると、スロットアンテナ２２０が良い無線伝送機能を有することが実証されている。
【００２８】
さらに、図２と３に示すように、通信本体２４とスロットアンテナ２２０とを正しく結合し、誘導性インピーダンスを形成するには、第２導通部３１２と第２インピーダンス整合部Ｒ２とを重なり合うほか、第２接続部３１４を第３インピーダンス整合部Ｒ３に対応する必要がある。導通回路３１の形状とスロットアンテナ２２０の形状と整合性を持つ必要がある。これによって、スロットアンテナ２２０の電磁誘導により発生するエネルギーを正確に伝送することができる。
【００２９】
さらに、導電回路３１の形状とスロットアンテナ２２０の形状との整合性が取れたとき、第１導通部３１１と第１スロット２２１の第２スロット側の側縁との間隔が約１ミリメートルとなり、第２導通部３１２と当該第２導通部３１２に対応する第１スロット２２１の側縁との間隔が約０．６ミリメートルとなり、導電回路３１の第一方向（すなわち、図４に示す上下方向）の誤差が１ミリメートル以下または第二方向（すなわち、図４に示す左右方向）の誤差が０．６ミリメートル以下である場合、所定の範囲内で無線ＩＣタグ４の遠距離受発信機能を維持することができることが分かる。図５Ａと５Ｂに示すように、例え、導電回路３１が第２スロット２２２側に１ミリメートルずらし第１導通部３１１と第１インピーダンス整合部Ｒ１とが重なる場合または第１導通部３１１が第１インピーダンス整合部Ｒ１を超える場合、あるいは、導電回路３１が第二方向に０．６ミリメートル以上ずらした場合、無線ＩＣタグ４の遠距離受発信機能が大幅に低減されることが実証されている。
【００３０】
本発明の他の実施形態では、第１接続部３１３が第１導通部３１１と第２接続部３１４との間に位置することによって、通信チップ３２と第１スロット２２１の第２スロット２２２側の端部とは第２間隔Ｄ２を維持し、通信チップ３２は第１スロット２２１の中心軸線に位置し、通信チップ３２の入力端は第１接続部３１３と電気的に接続する。
【００３１】
図２、３と６Ａ〜６Ｃは、本実施形態の包装袋の電波による個体識別能力を詳しく説明するために、無線ＩＣタグ４を包装袋２の右上の隅部に取り付け、測定器を利用して測定された異なる方向よる無線信号受発信の電界を示す図である。そのうち、図６ＡはＸＺ−ｃｕｔの垂直走査方向と電界を示す図であり、図６ＢはＹＺ−ｃｕｔの水平走査方向と電界を示す図であり、図６ＣはＸＹ−ｃｕｔの水平走査方向と電界を示す図である。これにより、本実施形態の無線ＩＣタグ４は、確実な稼働能力を有し、最も良い受発信方向は包装袋２の垂直方向であることが分かる。
【００３２】
本発明は、上述した実施形態に限定されるものではなく、発明の趣旨を逸脱しない範囲で種々の形態で実施可能である。
【符号の説明】
【００３３】
２・・・包装袋、
２０・・・包装材、
２１・・・表面部材、
２１０・・・外部スロット、
２２・・・金属層、
２２０・・・スロットアンテナ、
２２１・・・第１スロット、
２２２・・・第２スロット、
２３・・・基材、
２３０・・・内部スロット、
２４・・・通信本体、
３０・・・接着部材、
３１・・・導電回路、
３１１・・・第１導通部、
３１２・・・第２導通部、
３１３・・・第１接続部、
３１４・・・第２接続部、
３２・・・通信チップ、
４・・・無線ＩＣタグ、
Ｄ１・・・第１間隔、
Ｄ２・・・第２間隔、
Ｒ１・・・第１インピーダンス整合部、
Ｒ２・・・第２インピーダンス整合部、
Ｒ３・・・第３インピーダンス整合部。
【図１】
0005650712.tif 000002
【図２】
0005650712.tif 000003
【図３】
0005650712.tif 000004
【図４】
0005650712.tif 000005
【図５Ａ】
0005650712.tif 000006
【図５Ｂ】
0005650712.tif 000007
【図６Ａ】
0005650712.tif 000008
【図６Ｂ】
0005650712.tif 000009
【図６Ｃ】
0005650712.tif 000010